(57)【特許請求の範囲】
【請求項１】
天井および側壁によって区画された医療処置室であって、
前記医療処置室の室内に配置された施療台と、
前記天井に設けられ、前記施療台に向けて清浄気流を吹き下ろす第１吹出口と、
前記第１吹出口とは別に設けられ、前記室内の任意箇所において開口し、前記任意箇所において開口した部分から前記天井および／または前記側壁の内表面に沿って流れるコアンダ気流を吹き出す第２吹出口と、
前記第２吹出口から吹き出されるコアンダ気流の温度を制御し、温度制御したコアンダ気流を介して前記内表面の温度を制御する温度制御装置と、を備え、
前記第２吹出口は、前記天井に設けられ、
前記第２吹出口は、第１開口および第２開口を含み、
前記第１開口は、前記天井の前記内表面に沿って前記第１吹出口に近づく方向に流れるコアンダ気流を吹き出し、
前記第２開口は、前記第１吹出口から遠ざかる方向に流れるコアンダ気流を吹き出す、医療処置室。
【請求項２】
清浄気流を自身の内側に通流させてその清浄気流を前記第１吹出口にまで案内する風洞の外表面は、コアンダ気流を生成するための気流を前記第２吹出口にまで案内する案内経路を形成している、
請求項１に記載の医療処置室。
【請求項３】
天井および側壁によって区画された医療処置室であって、
前記医療処置室の室内に配置された施療台と、
前記天井に設けられ、前記施療台に向けて清浄気流を吹き下ろす第１吹出口と、
前記第１吹出口とは別に設けられ、前記室内の任意箇所において開口し、前記任意箇所において開口した部分から前記天井および／または前記側壁の内表面に沿って流れるコアンダ気流を吹き出す第２吹出口と、
前記第２吹出口から吹き出されるコアンダ気流の温度を制御し、温度制御したコアンダ気流を介して前記内表面の温度を制御する温度制御装置と、を備え、
清浄気流を自身の内側に通流させてその清浄気流を前記第１吹出口にまで案内する風洞の外表面は、コアンダ気流を生成するための気流を前記第２吹出口にまで案内する案内経路を形成している、
医療処置室。
【請求項４】
板状の形状を有し、前記第１吹出口から吹き下ろされる清浄気流の流れる方向を変える垂れ壁をさらに備える、
請求項１から３のいずれか１項に記載の医療処置室。
【発明の詳細な説明】
【技術分野】
【０００１】
本発明は、手術室、剖検室および集中治療室などの医療処置室に関する。
【背景技術】
【０００２】
特開２００８−２０６８１８号公報（特許文献１）に開示されているように、手術室、剖検室および集中治療室などの医療処置室は、清浄な空間を形成していることが求められる。たとえば病院の手術室は、空気中の微粒子の清浄化に加えて、細菌などの微生物的な清浄度が要求される。清浄度の規格は、日本工業規格のＪＩＳＢ９９２０やＮＡＳＡ（アメリカ航空宇宙局）規格のＮＨＢ５３４０に基づき、手術室の清浄度（たとえばＮＡＳＡ規格では、クラス１００００やクラス１００と呼称される）が定められている。
【０００３】
一方で、医療処置室には、所定の清浄度を満足しているだけでなく、患者および医療従事者の双方にとって快適な空間を形成していることも求められる。特許文献１に開示された手術室は、手術室の壁面をその裏側から冷却または加熱し、冷却または加熱した壁面によって手術室の温度を調整している。特許文献１は、この構成を採用することによって、施術者にとっても、また手術を受ける患者にとっても快適な環境を提供することができると共に、患者の状態に見合った清浄度を手術室において確保することができると述べている。
【先行技術文献】
【特許文献】
【０００４】
【特許文献１】特開２００８−２０６８１８号公報
【特許文献２】特開２０１２−２３９６３３号公報
【発明の概要】
【発明が解決しようとする課題】
【０００５】
本発明は、医療処置室に気流の全く新しい流し方を適用することによって、患者および医療従事者の双方にとって快適な清浄空間を形成することが可能な医療処置室を提供することを目的とする。
【課題を解決するための手段】
【０００６】
本発明に基づく医療処置室は、天井および側壁によって区画された医療処置室であって、上記医療処置室の室内に配置された施療台と、上記天井に設けられ、上記施療台に向けて清浄気流を吹き下ろす第１吹出口と、上記第１吹出口とは別に設けられ、上記室内の任意箇所において開口し、上記任意箇所において開口した部分から上記天井および／または上記側壁の内表面に沿って流れるコアンダ気流を吹き出す第２吹出口と、上記第２吹出口から吹き出されるコアンダ気流の温度を制御し、温度制御したコアンダ気流を介して上記内表面の温度を制御する温度制御装置と、を備える。
【０００７】
好ましくは、上記内表面は、金属製またはガラス製の部材から構成されている。
好ましくは、上記第２吹出口は、上記天井に設けられ、上記第２吹出口は、第１開口および第２開口を含み、上記第１開口は、上記天井の上記内表面に沿って上記第１吹出口に近づく方向に流れるコアンダ気流を吹き出し、上記第２開口は、上記第１吹出口から遠ざかる方向に流れるコアンダ気流を吹き出す。
【０００８】
好ましくは、上記第２開口は、上記側壁の上記内表面に沿って下方に流れるコアンダ気流を吹き出す。
【０００９】
好ましくは、上記第２開口は、上記天井の上記内表面に沿って上記第１吹出口から遠ざかる方向に流れたのちに上記側壁の上記内表面に沿って下方に流れるコアンダ気流を吹き出す。
【００１０】
好ましくは、清浄気流を自身の内側に通流させてその清浄気流を上記第１吹出口にまで案内する風洞の外表面は、コアンダ気流を生成するための気流を上記第２吹出口にまで案内する案内経路を形成している。
【００１１】
好ましくは、板状の形状を有し、上記第１吹出口から吹き下ろされる清浄気流の流れる方向を変える垂れ壁をさらに備える。
【００１２】
好ましくは、上記垂れ壁は、上記垂れ壁の上端において軸支されており、軸支された部分を中心として回動することによって清浄気流の流れる方向を変える。
【００１３】
好ましくは、回動することによって、上記第２吹出口から吹き出される気流の流量および／または方向を制御する気流制御板をさらに備える。
【発明の効果】
【００１４】
上記の構成によれば、医療処置室に気流の全く新しい流し方を適用することによって、患者および医療従事者の双方にとって快適な清浄空間を形成することができる。
【図面の簡単な説明】
【００１５】
【図１】実施の形態１における医療処置室を示す平面図である。
【図２】図１中のＩＩ−ＩＩ線に沿った矢視断面図である。
【図３】図２中のＩＩＩ線に囲まれた領域を拡大して示す断面図である。
【図４】実施の形態１における医療処置室の動作している様子を示す平面図である。
【図５】図４中のＶ−Ｖ線に沿った矢視断面図である。
【図６】図５中のＶＩ線に囲まれた領域を拡大して示す断面図である。
【図７】実施の形態２における医療処置室の一部を示す断面図である。
【図８】実施の形態２における医療処置室の一部を示す平面図である。
【図９】実施の形態３における医療処置室の一部を示す断面図である。
【図１０】実施の形態４における医療処置室の一部を示す断面図である。
【図１１】実施の形態５における医療処置室の一部を示す断面図である。
【図１２】実施の形態５における医療処置室の動作している様子を示す断面図である。
【図１３】実施の形態６における医療処置室の一部を示す断面図である。
【図１４】実施の形態７における医療処置室の全体構成を示す断面図である。
【図１５】図１４中のＸＶ線に囲まれた領域を拡大して示す断面図である。
【図１６】実施の形態７の変形例における医療処置室の一部を示す断面図である。
【図１７】実施の形態８における医療処置室を示す平面図である。
【図１８】実施の形態９における医療処置室を示す平面図である。
【発明を実施するための形態】
【００１６】
実施の形態について、以下、図面を参照しながら説明する。同一の部品および相当部品には同一の参照番号を付し、重複する説明は繰り返さない場合がある。
【００１７】
［実施の形態１］
図１〜図６を参照して、実施の形態１における医療処置室１００について説明する。図１は、医療処置室１００を示す平面図である。図２は、図１中のＩＩ−ＩＩ線に沿った矢視断面図である。図３は、図２中のＩＩＩ線に囲まれた領域を拡大して示す断面図である。
【００１８】
（医療処置室１００）
図１および図２に示すように、医療処置室１００は、天井１０（図２）、側壁３１〜３４（図１）および扉３５（図１）によって区画され、その内部には室内空間Ｓ（室内）が形成される。本実施の形態の医療処置室１００は、手術室を構成しているが、本発明における医療処置室としての思想は、剖検室および集中治療室（ＩＣＵ：Intensive  Care  Unit）などにも適用できる。
【００１９】
医療処置室１００は、室内空間Ｓ（床面２０の上）に配置された施療台２８と、天井１０に設けられたメイン吹出ユニット４０と、天井１０に設けられたサブ吹出ユニット５０Ａ，５０Ｂと、医療処置室１００の四隅下部（側壁３１〜３４のそれぞれの間における下部）に設けられた通気口２１〜２４（図１）と、空気調節機２５，２６（図２）とを備えている。施療台２８の上には患者２７が載せられ、その周囲には医療従事者２９が立つ。図示上の便宜のため、患者２７および医療従事者２９は図２には図示していない。
【００２０】
（天井１０および側壁３１〜３４）
天井１０は、室内空間Ｓを形成する内表面を有している。説明上のため、天井１０の内表面のうちのメイン吹出ユニット４０とサブ吹出ユニット５０Ａとの間に位置する部分（図２，図３参照）を、内表面１１という。天井１０の内表面のうちのサブ吹出ユニット５０Ａと側壁３４の間に位置する部分（図２，図３参照）を、内表面１２という。天井１０の内表面のうちのメイン吹出ユニット４０とサブ吹出ユニット５０Ｂとの間に位置する部分（図２）を、内表面１３という。天井１０の内表面のうちのサブ吹出ユニット５０Ｂと側壁３２の間に位置する部分（図２）を、内表面１４という。
【００２１】
側壁３２，３４は、躯体３２ａ，３４ａと、これらの表面に設けられた表面部材３２ｂ，３４ｂとをそれぞれ有している（図３も参照）。詳細は後述されるが、側壁３２，３４（表面部材３２ｂ，３４ｂ）の内表面３２ｃ，３４ｃの温度は、サブ吹出ユニット５０Ａ，５０Ｂの吹出口５２（第２開口５２ｎ）から吹き出されたコアンダ気流によって制御される。温度制御の容易性に鑑みると、表面部材３２ｂ，３４ｂ（側壁３２，３４の内表面を構成する部材）は、高い熱伝導性を有する金属製またはガラス製の部材から構成されていることが好ましい。
【００２２】
（メイン吹出ユニット４０）
メイン吹出ユニット４０は、吹出口４１（第１吹出口）と、風洞４３と、ＨＥＰＡフィルター４４と、図示しないファンとを有している。吹出口４１は、風洞４３の下方端部に形成されており、略長方形の形状を有している（図１参照）。気流がＨＥＰＡフィルター４４を通過することにより、たとえばクラス１０００程度の清浄気流が生成される。図示しないファンの回転によって、吹出口４１から施療台２８に向けて、層状の清浄気流が吹き下ろされる。本実施の形態では、施療台２８に向けて吹き下ろされる清浄空気の温度は、図２に示す空気調節機２５（温度制御装置）により制御することができる。空気調節機２５は、吹出口４１から施療台２８に向けて吹き出される清浄気流の流量を調節することもできる。
【００２３】
（サブ吹出ユニット５０Ａ，５０Ｂ）
サブ吹出ユニット５０Ａ，５０Ｂは、天井に設けられる。サブ吹出ユニット５０Ａ，５０Ｂは、施療台２８（図１）の長手方向に対して平行な方向に延在している。平面視（図１）で見た場合、サブ吹出ユニット５０Ａは、施療台２８の左端と側壁３４（内表面３４ｃ）との間に位置しており、サブ吹出ユニット５０Ｂは、施療台２８の右端と側壁３２（内表面３２ｃ）との間に位置している。
【００２４】
サブ吹出ユニット５０Ａ，５０Ｂは、メイン吹出ユニット４０が配置されている部分を中心として線対称の形状を有している。以下、図３を主として参照して、サブ吹出ユニット５０Ａについて説明する。説明内容が重複するため、サブ吹出ユニット５０Ｂについての説明は省略するものとする。
【００２５】
図３に示すように、サブ吹出ユニット５０Ａは、流路形成部材５１と、吹出口５２（第２吹出口）と、風洞５３と、ＨＥＰＡフィルター５４と、気流制御板６１〜６４とを備えている。吹出口５２は、流路形成部材５１とは別に設けられた構成である。流路形成部材５１および風洞５３は、施療台２８（図１）の長手方向に対して平行な方向に延在している。風洞５３は、天井１０に設けられた開口部分に取り付けられており、空気調節機２６（図２）で生成された気流を、ＨＥＰＡフィルター５４が設けられている部分にまで案内する。
【００２６】
気流がＨＥＰＡフィルター５４を通過することにより、たとえばクラス１０００程度の清浄気流が生成される。気流は、流路形成部材５１に向けてさらに流れる。本実施の形態では、流路形成部材５１に向けて流れる清浄空気の温度は、図２に示す空気調節機２６（温度制御装置）により制御することができる。空気調節機２６は、流路形成部材５１に向けて流れる清浄空気の流量を調節することもできる。
【００２７】
流路形成部材５１は、略三角形の断面形状を有しており、風洞５３に下方側から対向するように配置される。流路形成部材５１は、流路形成部材５１の中心よりもメイン吹出ユニット４０（図２）に近い側に位置する表面５１ｍと、流路形成部材５１の中心よりも側壁３４に近い側に位置する表面５１ｎとを有している。表面５１ｍ，５１ｎの一部（上部）は、風洞５３の中に入り込んでいる。
【００２８】
風洞５３に流路形成部材５１が対向していることによって、表面５１ｍと風洞４３とによって第１開口５２ｍが形成され、表面５１ｎと風洞４３とによって第２開口５２ｎが形成される。すなわち、サブ吹出ユニット５０Ａの吹出口５２（第２吹出口）は、第１開口５２ｍおよび第２開口５２ｎを含んでいる。
【００２９】
第１開口５２ｍおよび第２開口５２ｎは、これらの開口が開口した部分から天井１０（内表面１２）および／または側壁３４（表面部材３４ｂ）の内表面３４ｃに沿って流れるコアンダ気流を吹き出す。ここで言うコアンダ気流とは、第１開口５２ｍおよび第２開口５２ｎから吹き出された粘性流体の気流が、近くの天井面または壁面などに吸い付くように（引き寄せられて）流れる効果（いわゆるコアンダ効果）を持って流れる気流のことである。第１開口５２ｍおよび第２開口５２ｎは、このようなコアンダ気流を吹き出すことが可能な、室内空間Ｓ内の任意箇所に配置される。
【００３０】
風洞５３の下端部分には、気流制御板６１，６２が設けられる。気流制御板６１は、流路形成部材５１の表面５１ｍに近い側（すなわちメイン吹出ユニット４０に近い側）に設けられ、気流制御板６２は、流路形成部材５１の表面５１ｎに近い側（すなわち風洞４３に近い側）に設けられる。さらに、流路形成部材５１の表面５１ｍの上には、気流制御板６３が設けられ、流路形成部材５１の表面５１ｎの上には、気流制御板６４が設けられる。
【００３１】
気流制御板６１が矢印Ａ１方向に回動することによって、第１開口５２ｍを通して吹き出される気流の流量が増減される。気流制御板６３が矢印Ａ３方向に回動することによって、第１開口５２ｍを通して吹き出される気流の方向が変更される。同様に、気流制御板６２が矢印Ａ２方向に回動することによって、第２開口５２ｎを通して吹き出される気流の流量が増減される。気流制御板６４が矢印Ａ４方向に回動することによって、第２開口５２ｎを通して吹き出される気流の方向が変更される。
【００３２】
（作用および効果）
図４は、医療処置室１００の動作している様子を示す平面図である。図５は、図４中のＶ−Ｖ線に沿った矢視断面図である。図６は、図５中のＶＩ線に囲まれた領域を拡大して示す断面図である。
【００３３】
図４〜図６を参照して、空気調節機２５（図５）は、メイン吹出ユニット４０の吹出口４１から吹き出される気流の温度および流量を調節する。吹出口４１からは、空気調節機２５によって温度制御され、かつＨＥＰＡフィルター４４によって清浄化された清浄気流Ｄ５０が吹き下ろされる。
【００３４】
空気調節機２６（図５）は、サブ吹出ユニット５０Ａ，５０Ｂの吹出口５２から吹き出される気流の温度および流量を調節する。吹出口５２からは、空気調節機２６によって温度制御され、かつＨＥＰＡフィルター５４によって清浄化された気流が吹き出される。
【００３５】
サブ吹出ユニット５０Ａ，５０Ｂの第１開口５２ｍ（図６）から吹き出された気流は、天井１０の内表面１１，１３に沿って流れるコアンダ気流Ｄ５１，Ｄ５５となって、メイン吹出ユニット４０に向かって流れる。すなわち、第１開口５２ｍは、天井１０の内表面１１，１３に沿って吹出口４１（第１吹出口）に近づく方向に流れるコアンダ気流Ｄ５１，Ｄ５５を吹き出す。
【００３６】
コアンダ気流Ｄ５１，Ｄ５５は、メイン吹出ユニット４０の近傍で天井１０の内表面１１，１３から離れて、気流Ｄ５２，Ｄ５６を形成する。気流Ｄ５２，Ｄ５６は、メイン吹出ユニット４０の吹出口４１から吹き下ろされる清浄気流Ｄ５０と合流し、下方に向かって流れる。
【００３７】
サブ吹出ユニット５０Ａ，５０Ｂの第１開口５２ｍ（図５，図６）から吹き出されたコアンダ気流Ｄ５１，Ｄ５５（気流Ｄ５２，Ｄ５６）は、メイン吹出ユニット４０から吹き出された清浄気流Ｄ５０と協働することによって、清浄度が高く且つ患者２７（図４）にとって快適な空間を施療台２８の周囲に形成することができる。
【００３８】
一方で、サブ吹出ユニット５０Ａ，５０Ｂの第２開口５２ｎ（図６）から吹き出された気流は、天井１０の内表面１２，１４に沿って流れるコアンダ気流Ｄ５３，Ｄ５７となって、側壁３４，３２に向かって流れる。すなわち、第２開口５２ｎは、天井１０の内表面１２，１４に沿って吹出口４１（第１吹出口）から遠ざかる方向に流れるコアンダ気流Ｄ５３，Ｄ５７を吹き出す。
【００３９】
コアンダ気流Ｄ５３，Ｄ５７は、側壁３４，３２の近傍で天井１０の内表面１２，１４から離れたのち、側壁３４，３２（表面部材３４ｂ，３２ｂ）の内表面３４ｃ，３２ｃに沿って下方に流れるコアンダ気流Ｄ５４，Ｄ５８を形成する。コアンダ気流Ｄ５４，Ｄ５８は、側壁３４，３２の内表面３４ｃ，３２ｃに沿いながら下方に向かって流れる。側壁３４，３２の内表面３４ｃ，３２ｃの温度は、コアンダ気流Ｄ５４，Ｄ５８によって直接的に加熱または冷却され、所望の温度に制御されることとなる。
【００４０】
医療従事者２９（図４）は、側壁３２，３４の内表面３２ｃ，３４ｃの温度に応じて、たとえば背中に涼しさを感じたり、背中に暖かさを感じたりすることが可能となる。患者２７と側壁３２，３４との間には、医療従事者２９がいるため、側壁３２，３４の内表面３２ｃ，３４ｃの温度の影響が患者２７に及ぶことはほとんどない。すなわち、医療従事者２９および患者２７の双方にとって快適な空間を施療台２８の周囲に形成することができる。表面部材３２ｂ，３４ｂ（側壁３２，３４の内表面を構成する部材）が、高い熱伝導性を有するアルミ、ステンレス、またはガラス等から構成されている場合には、温度制御が容易となる。
【００４１】
室内空間Ｓに存在していた塵埃や粒子は、上方から供給される気流によって、通気口２１〜２４に送られる。塵埃や粒子は、通気口２１〜２４を経由して外部に排出され、ＨＥＰＡフィルター４４，５４などによって塵埃や粒子が除去された後、再び室内空間Ｓに取り込まれる。したがって、室内空間Ｓには塵埃や粒子が残留しにくくなるため、高い清浄度が得られる。
【００４２】
本実施の形態では、メイン吹出ユニット４０から吹き下ろされる清浄気流Ｄ５０に限られず、サブ吹出ユニット５０Ａ，５０Ｂから吹き出されたのち天井１０や側壁３２，３４に沿って流れるコアンダ気流によって、室内空間Ｓの隅々に至る気流の流れが生成される。室内空間Ｓの隅々に至るように生成された気流は、室内空間Ｓの隅々に存在する塵埃や粒子にも影響する。したがって、室内空間Ｓの清浄度を効率的に向上させることが可能となる。なお、冒頭で触れた特許文献１（特開２００８−２０６８１８号公報）においては、手術室の壁面をその裏側から冷却または加熱しているため、室内空間Ｓの隅々に存在する塵埃や粒子を気流を用いて除去することは容易ではないと考えられる。
【００４３】
（変形例）
図６を参照して、医療処置室１００においては第１開口５２ｍおよび第２開口５２ｎの双方から気流を吹き出しているが、気流制御板６１，６２を回動させることによって、第１開口５２ｍおよび第２開口５２ｎの一方から気流を吹き出すように構成してもよい。医療従事者２９および患者２７の双方にとってより快適な空間を形成できるように、第１開口５２ｍおよび第２開口５２ｎから吹き出される流量を増減させてもよい。また、吹き出された気流が天井１０の内表面１１〜１４に沿って流れやすいように、気流制御板６３，６４の角度を適宜調節させてもよい。
【００４４】
［実施の形態２］
図７および図８を参照して、実施の形態２における医療処置室１０１について説明する。医療処置室１０１においては、天井１０に、金属板１０ａが設けられている。金属板１０ａは、上述の実施の形態１における天井１０の内表面１１〜１４（図２参照）に対応する部分に設けられる（図８参照）。図８においては、金属板１０ａが設けられる領域を、図８の右下に向かって下がる細いハッチングを用いて示している。金属板１０ａの内表面１０ｂの温度は、図８に示すコアンダ気流Ｄ５１，Ｄ５３，Ｄ５５，Ｄ５７（図５も参照）によって容易に制御されることができる。当該構成によれば、医療従事者２９（図８参照）は、金属板１０ａの内表面１０ｂの温度に応じて、たとえば頭上に涼しさを感じたり、頭上に暖かさを感じたりすることが可能となる。
【００４５】
［実施の形態３］
図９を参照して、実施の形態３における医療処置室１０２について説明する。本実施の形態のサブ吹出ユニット５０Ａは、吹出口５２（第２開口５２ｎ）を有しており、第１開口５２ｍに相当する開口を有していない。当該構成によれば、吹出口５２（第２開口５２ｎ）から吹き出されるコアンダ気流の温度を制御することによって、温度制御したコアンダ気流を介して側壁３４の内表面３４ｃの温度を制御することができる。図９に示すように、本実施の形態においても、実施の形態２の場合と同様に金属板１０ａを天井１０に設けることが好ましい。
【００４６】
［実施の形態４］
図１０を参照して、実施の形態４における医療処置室１０３について説明する。本実施の形態のサブ吹出ユニット５０Ａは、吹出口５２（第１開口５２ｍ）を有しており、第２開口５２ｎに相当する開口を有していない。当該構成によれば、吹出口５２（第１開口５２ｍ）から吹き出されるコアンダ気流の温度を制御することによって、温度制御したコアンダ気流を介して天井１０（内表面１０ｂ）の温度を制御することができる。
【００４７】
［実施の形態５］
図１１および図１２を参照して、実施の形態５における医療処置室１０４について説明する。本実施の形態のサブ吹出ユニット５０Ａは、側壁３４に隣接する位置に設けられる。本実施の形態では、上述の気流制御板６１，６２の代わりに、１つの気流制御板６５が用いられる。第２開口５２ｎは、側壁３４の内表面３４ｃに沿って下方に流れるコアンダ気流Ｄ５９を吹き出す。
【００４８】
当該構成によっても、第１開口５２ｍから吹き出されるコアンダ気流の温度を制御することによって、温度制御したコアンダ気流を介して天井１０（内表面１０ｂ）の温度を制御することができる。さらに、第２開口５２ｎから吹き出されるコアンダ気流の温度を制御することによって、温度制御したコアンダ気流を介して側壁３４（内表面３４ｃ）の温度を制御することができる。
【００４９】
［実施の形態６］
図１３を参照して、実施の形態６における医療処置室１０５について説明する。本実施の形態では、板状の形状を有する垂れ壁７１，７２が用いられる。垂れ壁７１，７２は、吹出口４１（第１吹出口）から吹き下ろされる清浄気流Ｄ５０の流れる方向を変えることができる。
【００５０】
図１３中の矢印Ｃ１，Ｃ２に示すように、垂れ壁７１，７２は、垂れ壁７１，７２の上端において軸支されており、軸支された部分を中心として回動可能であることが好ましい。回動によって、清浄気流Ｄ５０の流れる方向（気流の広がり具合または狭まり具合）を変えることが可能となる。図１３に示すように、本実施の形態においても、実施の形態２の場合と同様に金属板１０ａを天井１０に設けることが好ましい。
【００５１】
［実施の形態７］
図１４および図１５を参照して、実施の形態７における医療処置室１０６について説明する。図１４は、医療処置室１０６の全体構成を示す断面図であり、図１５は、図１４中のＸＶ線に囲まれた領域を拡大して示す断面図である。
【００５２】
図１４および図１５に示すように、本実施の形態では、メイン吹出ユニット４０の風洞４３の下方に、筒状の形状を有する他の風洞４７が挿入配置される。風洞４７の内表面４７ｔ（図１５）は、その内側に清浄気流Ｄ５０を通流させ、その清浄気流Ｄ５０の吹出口４１まで案内する。一方で、風洞４７の図中左側に位置する外表面４７ａ１（図１５）は、コアンダ気流Ｄ５３を生成するための気流を吹出口５２ａ（第２吹出口）にまで案内する案内経路４７ａ２を形成している。同様に、風洞４７の図中右側に位置する外表面４７ｂ１（図１５）は、コアンダ気流Ｄ５７を生成するための気流を吹出口５２ｂ（第２吹出口）にまで案内する案内経路４７ｂ２を形成している。
【００５３】
当該構成によれば、１つのＨＥＰＡフィルター４４（あるいは一箇所に設けたＨＥＰＡフィルター４４）を用いて、吹出口４１から吹き出される清浄気流だけでなく、吹出口５２ａ，５２ｂから吹き出される清浄気流（コアンダ気流）を生成することができる。天井１０に設ける開口の数を、上記の各実施の形態の場合に比べて少なくすることも可能である。
【００５４】
（変形例）
図１６に示す医療処置室１０７のように、上述の実施の形態７（図１４，１５）に示す構成に、垂れ壁７１，７２を付加した構成を採用してもよい。
【００５５】
［実施の形態８］
図１７を参照して、実施の形態８における医療処置室１０８について説明する。上述の各実施の形態におけるサブ吹出ユニット５０Ａ，５０Ｂは、側壁３２，３４またはメイン吹出ユニット４０に近づくような気流を吹き出すものである。
【００５６】
図１７に示すように、天井１０に設けられたサブ吹出ユニット５０Ａ，５０Ｂは、側壁３１，３３に近づくような気流をさらに吹き出しても構わない。側壁３１に近づくような気流を吹き出す場合には、側壁３１に金属板３１ｆを設けることもできる。側壁３３に近づくような気流を吹き出す場合には、側壁３３に金属板３３ｆを設けることもできる。
【００５７】
［実施の形態９］
図１８を参照して、実施の形態９における医療処置室１０９について説明する。上述の各実施の形態におけるサブ吹出ユニット５０Ａ，５０Ｂは、施療台２８の長手方向に対して平行な方向に延在するような、ある程度の長さを持った開口形状（平面視で長方形の形状）を有している。
【００５８】
図１８に示すように、天井１０に設けられたサブ吹出ユニット５０Ａ，５０Ｂは、平面視で円形の開口形状を有していてもよい。この場合には、サブ吹出ユニット５０Ａ，５０Ｂの開口部分（第２吹出口）の中央に、上述の実施の形態で用いたものと同様な流路形成部材５１を配置する。流路形成部材５１は、錐形状を有していることが好ましい。開口（第２吹出口）からは、流路形成部材５１を中心として外側に向かって３６０°の角度範囲で広がるような気流が吹き出る。第２吹出口については、平面視で円形の開口形状に限られず、平面視で楕円形、正方形、多角形の開口形状が採用されてもよい。
【００５９】
（他の変形例）
上述の各実施の形態および変形例では、サブ吹出ユニット５０Ａ，５０Ｂ（第２吹出口）などが天井１０に設けられていたが、サブ吹出ユニット５０Ａ，５０Ｂは、側壁３１〜３４に設けられていてもよいし、これらとは異なる部位に設けられてもよい。天井または側壁からアームを延ばして、その先端に第２吹出口を設けると言った構成も採用可能である。
【００６０】
以上、実施の形態および変形例について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６１】
１０  天井、１０ａ，３１ｆ，３３ｆ  金属板、１０ｂ，１１，１２，１３，１４，３２ｃ，３４ｃ，４７ｔ  内表面、２０  床面、２１，２４  通気口、２５，２６  空気調節機、２７  患者、２８  施療台、２９  医療従事者、３１，３２，３４  側壁、３２ａ，３４ａ  躯体、３２ｂ，３４ｂ  表面部材、３５  扉、４０  メイン吹出ユニット、４１，５２，５２ａ，５２ｂ  吹出口、４３，４７，５３  風洞、４４，５４  フィルター、４７ａ１，４７ｂ１  外表面、４７ａ２，４７ｂ２  案内経路、５０Ａ，５０Ｂ  サブ吹出ユニット、５１  流路形成部材、５１ｍ，５１ｎ  表面、５２ｍ  第１開口、５２ｎ  第２開口、６１，６２，６３，６４，６５  気流制御板、７１，７２  垂れ壁、１００，１０１，１０２，１０３，１０４，１０５，１０６，１０７，１０８，１０９  医療処置室、Ｄ５０  清浄気流、Ｄ５１，Ｄ５３，Ｄ５４，Ｄ５５，Ｄ５７，Ｄ５８，Ｄ５９  コアンダ気流、Ｄ５２，Ｄ５６  気流、Ｓ  室内空間（室内）。
【図１】
0006392050.tif 000002
【図２】
0006392050.tif 000003
【図３】
0006392050.tif 000004
【図４】
0006392050.tif 000005
【図５】
0006392050.tif 000006
【図６】
0006392050.tif 000007
【図７】
0006392050.tif 000008
【図８】
0006392050.tif 000009
【図９】
0006392050.tif 000010
【図１０】
0006392050.tif 000011
【図１１】
0006392050.tif 000012
【図１２】
0006392050.tif 000013
【図１３】
0006392050.tif 000014
【図１４】
0006392050.tif 000015
【図１５】
0006392050.tif 000016
【図１６】
0006392050.tif 000017
【図１７】
0006392050.tif 000018
【図１８】
0006392050.tif 000019